(57)【要約】  グリップの形成が容易で、簡単には外れず、且つ取り替え交換ができるグリップジャケット、及び、滑り防止効果に優れ、インサート成形を必要とせず、低コストで、折畳刃の収容にも適した刃物用グリップとするために、グリップ本体に被着して刃物用グリップを完成させるグリップジャケット（１０）であって、弾性体からなり、一対のジャケット側片部（１１０）とジャケット背部（１２０）とがジャケット背部（１２０）を介して連続する一体物として構成され、ジャケット側片部（１１０）には、その開放端（１１０ｃ）の内側に沿って厚肉部（１１１）を備え、厚肉部（１１１）には、前記グリップ本体側の嵌合突起と嵌合させるための嵌合ポケット（１１２）を備え、ジャケット背部（１２０）の内面には、前記グリップ本体の背部の嵌合穴に侵入して位置決めを行うための位置決め突起（１２１）を備えている。
2012098672.tif 000002
【特許請求の範囲】
【請求項１】
鋸等の刃物のグリップ本体に対して着脱可能に被着させることで刃物用グリップを構成するグリップジャケットであって、
弾性体からなり、
前記グリップ本体の両側部の外面に対して被着させるための一対のジャケット側片部と、前記グリップ本体の背部の外面に対して被着させるためのジャケット背部とを有し、
且つ前記一対のジャケット側片部と前記ジャケット背部とが、両ジャケット側片部の一端側でジャケット背部を介して連続すると共に他端側を開放端とする一体物として構成されており、
前記一対のジャケット側片部は、それぞれその開放端の内側に沿って厚肉部を備えると共に、該厚肉部には、前記グリップ本体側の嵌合突起と嵌合させるための嵌合ポケットを備え、
前記ジャケット背部は、その内面に、前記グリップ本体の背部の嵌合穴に侵入して位置決めを行うための位置決め突起を備えていることを特徴とするグリップジャケット。
【請求項２】
請求項１に記載のグリップジャケットを、鋸等の刃物のグリップ本体に被着してなる刃物用グリップ。
【請求項３】
グリップ本体は、その背部を構成する本体背部と側部を構成する一対の本体側部とを備えると共に、本体背部を介して前記一対の本体側部が連続してなる横断面Ｕ字状の一体物として構成されており、
前記一対の本体側部の間を折畳刃収納溝として構成すると共に、
前記一対の本体側部の各開放端に、グリップジャケットのジャケット側片部の厚肉部に備えられた嵌合ポケットに嵌合する嵌合突起を備え、
前記本体背部に、前記グリップジャケットのジャケット背部に備えられた位置決め突起を受け入れる嵌合穴を備え、
グリップジャケットをグリップ本体に被着した状態で、該グリップジャケットがグリップ本体の本体背部外面及び両本体側部外面を被覆する一方、グリップ本体の内面である前記折畳刃収納溝については、その溝口に構成される折畳刃収納口付近の内面のみを被覆する構成としていることを特徴とする請求項２に記載の刃物用グリップ。
【請求項４】
グリップ本体は、横断面Ｕ字状の金属製の刃物の柄本体の一部として長手方向の一定領域に構成されており、
グリップ本体の一対の本体側部は、その周囲の柄本体よりも側方に膨出した状態に構成され、且つ一対の本体側部の開放端に構成される前記嵌合突起は、相互に内向きに傾いて構成され、これにより前記折畳刃収納口が、その奥の折畳刃収納溝の幅よりも狭くなる構成としてあることを特徴とする請求項３に記載の刃物用グリップ。
【発明の詳細な説明】
【技術分野】
【０００１】
本発明はグリップジャケット、刃物用グリップに関する。
【背景技術】
【０００２】
従来、手引き鋸等の鋸におけるブリップとして、滑り防止等を目的として、鋸の柄の一部等に弾性体が用いられたグリップが提供されている。
例えば実公平１−４１５７７号（特許文献１）には、鋸の柄（１）の両側面の一部にそれぞれ滑り防止用の弾性体（２）を接着して取り付けた鋸の柄が開示されている。
また実開平６−３９４０２号（特許文献２）には、２つに分割された柄本体（５）、（５）のそれぞれに対して弾性体（１）、（１）を被着した後、両者を一体的に接合してなる鋸の柄が開示されている。
また実公平７−１１９２５号（特許文献３）には、２つ割りの柄の各硬質部（６）の下部に弾性体を流し込んで軟質部（７）を構成した折り畳み式鋸の柄が開示されている。
また実公平７−４２６２０号（特許文献４）には、倒立Ｕ字形の柄本体（４）の内外面を弾性体（５）で被覆し、鋸刃収容溝（３）も一緒に構成するようにした鋸の柄が開示されている。
また特開２００９−５６５４３号（特許文献５）には、刃物本体（１００）の握り手部（１２０）に対して背部側と腹部側とに分割された分割グリップ体（２１０）、（２２０）を着脱自在に嵌合してなる刃物のグリップが開示されている。
【先行技術文献】
【特許文献】
【０００３】
【特許文献１】実公平１−４１５７７号公報
【特許文献２】実開平６−３９４０２号公報
【特許文献３】実公平７−１１９２５号公報
【特許文献４】実公平７−４２６２０号公報
【特許文献５】特開２００９−５６５４３号公報
【発明の概要】
【発明が解決しようとする課題】
【０００４】
しかしながら、上記特許文献１の鋸の柄の場合は、それ以前における弾性体が用いられていなかった鋸の柄に対して格段の進歩があったものの、鋸の柄（１）の外面の一部のみに弾性体（２）が設けられ、背部や腹部には滑り防止用の弾性体が設けられていないことから、握り易さ、把持した際の感触、滑り止めの効果等に限界があった。
また上記特許文献２の鋸の柄の場合は、柄本体（５）及び弾性体（１）の何れもが分割体として用意されなければならない。また弾性体（１）を被着した柄本体（５）、（５）同士を更にネジや接着剤で一体に接合する必要がある。また弾性体（１）を被着した鋸本体（５）の部分は、鋸刃収納溝（８）を設けるのにはあまり適していないという状況が存在する。
また上記特許文献３の折り畳み式鋸の柄の場合は、２つ割りの柄の各硬質部（６）下部の軟質部（７）はインサート成形で行う必要があるため、製造に金型やインサート成形作業が必要となり、手間と時間がかかる問題がある。勿論、２つ割りのものをネジで一体に固定することから、ネジが部品として必要であること、ネジの固定作業が必要となる問題もある。
また上記特許文献４に示す鋸の柄の場合は、やはりＵ字状の柄本体（４）の内外を弾性体（５）で被覆する構成は、インサート成形以外の方法では実質的に構成することが困難と思われる。インサート成形を用いる場合、Ｕ字状の柄本体（４）の内外の空間が弾性体（５）で厚肉に埋まりやすいことから、原料使用量が多くなる欠点がある。またＵ字状の柄本体（４）の内空間の一部を空洞（８）として原料使用量を減らすることも可能であるが、その場合は中子等が必要となる等、金型関係が複雑となり、また成形作業も複雑となる問題がある。
また上記特許文献５に示す刃物のグリップは、ネジ等を用いずに、またインサート成形等を行うことなく、分割グリップ体（２１０）、（２２０）で刃物本体（１００）の握り手部（１２０）全体を被覆することができるものであるが、折畳刃の収容には適さないグリップである。【０００５】
そこで本発明は上記従来技術の種々の問題点を解消し、グリップの形成が容易で、且つ簡単に外れることなく、また着脱も可能で取り替え交換ができるグリップジャケットの提供と、全体を覆うことで滑り防止効果に優れ、インサート成形を必要とすることなく、低コストで、折畳刃の収容にも適した刃物用グリップの提供を課題とする。
【課題を解決するための手段】
【０００６】
上記課題を達成するため本発明のグリップジャケットは、鋸等の刃物のグリップ本体に対して着脱可能に被着させることで刃物用グリップを構成するグリップジャケットであって、
弾性体からなり、
前記グリップ本体の両側部の外面に対して被着させるための一対のジャケット側片部と、前記グリップ本体の背部の外面に対して被着させるためのジャケット背部とを有し、
且つ前記一対のジャケット側片部と前記ジャケット背部とが、両ジャケット側片部の一端側でジャケット背部を介して連続すると共に他端側を開放端とする一体物として構成されており、
前記一対のジャケット側片部は、それぞれその開放端の内側に沿って厚肉部を備えると共に、該厚肉部には、前記グリップ本体側の嵌合突起と嵌合させるための嵌合ポケットを備え、
前記ジャケット背部は、その内面に、前記グリップ本体の背部の嵌合穴に侵入して位置決めを行うための位置決め突起を備えていることを第１の特徴としている。
また本発明の刃物用グリップは、上記第１の特徴に記載のグリップジャケットを、鋸等の刃物のグリップ本体に被着してなることを第２の特徴としている。
また本発明の刃物用グリップは、上記第２の特徴に加えて、グリップ本体は、その背部を構成する本体背部と側部を構成する一対の本体側部とを備えると共に、本体背部を介して前記一対の本体側部が連続してなる横断面Ｕ字状の一体物として構成されており、
前記一対の本体側部の間を折畳刃収納溝として構成すると共に、
前記一対の本体側部の各開放端に、グリップジャケットのジャケット側片部の厚肉部に備えられた嵌合ポケットに嵌合する嵌合突起を備え、
前記本体背部に、前記グリップジャケットのジャケット背部に備えられた位置決め突起を受け入れる嵌合穴を備え、
グリップジャケットをグリップ本体に被着した状態で、該グリップジャケットがグリップ本体の本体背部外面及び両本体側部外面を被覆する一方、グリップ本体の内面である前記折畳刃収納溝については、その溝口に構成される折畳刃収納口付近の内面のみを被覆する構成としていることを第３の特徴としている。
また本発明の刃物用グリップは、上記第３の特徴に加えて、グリップ本体は、横断面Ｕ字状の金属製の刃物の柄本体の一部として長手方向の一定領域に構成されており、
グリップ本体の一対の本体側部は、その周囲の柄本体よりも側方に膨出した状態に構成され、且つ一対の本体側部の開放端に構成される前記嵌合突起は、相互に内向きに傾いて構成され、これにより前記折畳刃収納口が、その奥の折畳刃収納溝の幅よりも狭くなる構成としてあることを第４の特徴としている。
【発明の効果】
【０００７】
請求項１に記載のグリップジャケットによれば、ジャケット背部と一対のジャケット側片部とからなる一体物としてのグリップジャケットを用い、このグリップジャケットのジャケット背部でグリップ本体の背部にあてがうと共に、ジャケット背部の内面の位置決め突起をグリップ本体の背部の嵌合穴に侵入させ、またグリップジャケットの一対のジャケット側片部をグリップ本体の両側部外面にあてがうと共に、ジャケット側片部を引っ張りながら、ジャケット側片部の解放端内側に沿う厚肉部の嵌合ポケットをグリップ本体側の嵌合突起に嵌合させることで、鋸等の刃物のグリップ本体に対して着脱自在にグリップジャケットを被着させた刃物用グリップを得ることができる。
よって一物品からなるグリップジャケットを用いて簡単、確実に刃物用グリップを完成させることができる。
そして、グリップジャケットによりグリップ本体の背部、両側部、腹部の全外面を確実に被覆することができるので、手触りが均一で、握り易く、滑り防止効果が大きい刃物用グリップを得ることが可能となる。
またグリップジャケットのグリップ本体への被着は、一対のジャケット側片部の開放端内側に沿う厚肉部の嵌合ポケットとジャケット背部の位置決め突起とにより、ネジや接着剤等を用いなくとも容易に外れることがなく、確実に且つ位置ズレすることなく被着することができる。
またグリップジャケットはグリップ本体から取り外すことも可能であり、よってグリップジャケットを取り替えることができる。
勿論、請求項１のグリップジャケットによれば、インサート成形に必要な金型や複雑な作業工程を必要とすることなく刃物用のグリップを完成させることができる。
またグリップジャケットは一体物として、容易に薄くて強度のある成形品に形成することができるので、インサート成形する場合に比べても、十分に省原料で、軽量、高強度のグリップを得ることができる。【０００８】
また請求項２に記載の刃物用グリップによれば、請求項１に記載のグリップジャケットを、鋸等の刃物のグリップ本体に被着してなるものであるので、
別部品として用意されたグリップジャケットを被着するだけで、刃物用グリップを完成させることができる。よってインサート成形手段を用いる場合と比べても、刃物用グリップの最終的なアセンブリを非常に簡単に行うことができる。勿論、注文があった時点で、注文に応じた色やデザインのジャケットを被着して出荷することもできる。
また請求項２の刃物用グリップによれば、グリップジャケットでグリップ本体の外面の全面が被覆されるので、手触り、握り易さ、滑り止めに優れたものとなる。
また請求項２の刃物用グリップによれば、グリップジャケットを分割体ではなく一体物とし、且つその一対のジャケット側片部の開放端内側の嵌合ポケットとジャケット背部の位置決め突起とによってグリップの骨格であるグリップ本体の外面に巻き付つくように被着されているので、ネジや接着剤を用いなくても、グリップジャケットが容易に外れず、位置ズレしない刃物用グリップを提供することができる。
また請求項２の刃物用グリップによれば、グリップジャケットを取り外すことも可能であるので、必要に応じてグリップジャケットを取り替えたりすることができる。【０００９】
また請求項３に記載の刃物用グリップによれば、請求項２に記載の構成による作用効果に加えて、グリップジャケットが被着されるグリップ本体は、一対の本体側部が本体背部を介して連続する横断面Ｕ字状の一体物とされ、その一対の本体側部の間が折畳刃収納溝とされる。またグリップ本体の一対の本体側部の開放端側に備えられた嵌合突起がグリップジャケットの一対のジャケット側片部の開放端内側の嵌合ポケットと嵌合され、またグリップ本体の本体背部の嵌合穴がグリップジャケットのジャケット背部の位置決め突起と嵌合される。
そしてグリップジャケットがグリップ本体に被着された状態では、グリップジャケットがグリップ本体の外面を被覆する一方、グリップ本体の内面については、折畳刃収納口付近の内面のみがグリップジャケットで被覆される。よってグリップ本体の内面の大部分はグリップジャケットで被覆されることがなく、その分だけ全体を軽量にすることができる。また原料使用量を減らすことができる。
勿論、折畳刃収納口付近はグリップジャケットで被覆されているので、折畳刃の挿入の際の当たりを柔らかくすることができる。【００１０】
また請求項４に記載の刃物用グリップによれば、請求項３に記載の構成による作用効果に加えて、グリップ本体の一対の本体側部は、その周囲の柄本体よりも側方に膨出した状態に構成されることにより、グリップジャケットをグリップ本体に被着した状態で、前記膨出した本体側部に被着されたジャケット側部のズレをより良好に防止することができる。
また膨出した一対の本体側部の開放端に構成される嵌合突起を相互に内向きに傾いて構成することで、該嵌合突起に嵌合されるグリップジャケットの嵌合ポケットが簡単に外れるのを防止することができる。
加えて、相互に内向きに傾いて構成される嵌合突起により、折畳刃収納口の口幅がその奥の折畳刃収納溝の幅よりも狭くなる構成としたので、前記折畳刃収納口を被覆するグリップジャケットと相俟って、折畳刃収納溝内に収納された刃が折畳刃収納溝から勝手に抜け出るのを確実に防止することができる。
【図面の簡単な説明】
【００１１】
【図１】本発明の実施形態に係るグリップジャケットの正面図である。
【図２】本発明の実施形態に係るグリップジャケットの平面図である。
【図３】本発明の実施形態に係るグリップジャケットの右側面図である。
【図４】本発明の実施形態に係るグリップジャケットのＡ−Ａ端面図である。
【図５】本発明の実施形態に係るグリップジャケットの展開図である。
【図６】本発明の実施形態に係るグリップ本体を一部に備えた柄本体の正面図である。
【図７】本発明の実施形態に係るグリップ本体を一部に備えた柄本体の平面図である。
【図８】本発明の実施形態に係るグリップ本体を一部に備えた柄本体の右側面図である。
【図９】本発明の実施形態に係るグリップ本体を一部に備えた柄本体の左側面図である。
【図１０】本発明の実施形態に係るグリップ本体を一部に備えた柄本体のＢ−Ｂ断面図である。
【図１１】本発明の実施形態にかかる刃物用グリップの正面図である。
【図１２】本発明の実施形態にかかる刃物用グリップの平面図である。
【図１３】本発明の実施形態にかかる刃物用グリップの右側面図である。
【図１４】本発明の実施形態にかかる刃物用グリップの左側面図である。
【図１５】本発明の実施形態にかかる刃物用グリップのＣ−Ｃ断面図である。
【発明を実施するための形態】
【００１２】
以下の図面を参照して、本発明の実施形態に係るグリップジャケット及びそれを用いた刃物用グリップを説明する。
図１〜図５に示すグリップジャケット１０を、図６〜図１０に示す柄本体２に備えられたグリップ本体２０に被着させることで、図１１〜図１５に示す刃物用グリップ１が完成される。
本発明における刃物用グリップ１は、実際には鋸用グリップとして説明される。またグリップジャケット１０は、実際には鋸用のグリップジャケットとして説明される。
【００１３】
前記グリップジャケット１０は、弾性を備えたゴム、弾性を備えた合成樹脂等の弾性体からなる。即ち弾性体として、少なくとも形状変形能及び形状復帰能を備えており、グリップジャケット１０をグリップ本体２０に被着する際に適当に伸張して融通がきくと共に、被着後は形状復帰能が作用してグリップ本体２０にピッタリとフィットする。
このグリップジャケット１０は、それが被着されるグリップ本体２０の寸法に対応した寸法とされ、またグリップ本体２０の湾曲状態に対応した湾曲状態に構成されている。
前記グリップジャケット１０の長手方向の湾曲状態は、その末端付近において、より急な湾曲状態となるように構成している。湾曲状態を急にすることで、グリップを把持した手が容易にグリップ長手方向へ滑り抜けないようにしている。
【００１４】
グリップジャケット１０は、一対のジャケット側片部１１０、１１０と、ジャケット背部１２０とを有する。
グリップジャケット１０は、前記一対のジャケット側片部１１０、１１０とジャケット背部１２０とを有する一体物で構成されている。即ち、一対のジャケット側片部１１０、１１０がその共通する一端側においてジャケット背部１２０を介して連続すると共に他端側がそれぞれ開放端１１０ｃとなった一体物とされている。
前記一対のジャケット側片部１１０、１１０は同形状とするが、横長の細長い片持ち片として構成されている。
前記一対のジャケット側片部１１０、１１０の各開放端１１０ｃ、即ち前記ジャケット背部１２０に対してジャケットの腹部側にある一対の端には、その開放端１１０ｃの内側に沿って厚肉部１１１を備えている。
前記一対の開放端１１０ｃ、１１０ｃ付近は、相互に内向きに、少し湾曲した形状としている。
前記厚肉部１１１は、前記少し内向きに湾曲した開放端１１０ｃの内側（内面１１０ｂ）に沿って、開放端１１０ｃからほぼ一定の幅（奥行き）で、且つ開放端１１０ｃの長手方向のほぼ全長に亘って構成されている。
一対の厚肉部１１１、１１１の存在は、次に説明する嵌合ポケット１１２の形成の他、後に説明する折畳刃収納溝２１１の溝口である折畳刃収納口２１１ａの幅を調整する上でも重要となる。
【００１５】
前記厚肉部１１１には、その厚肉を利用して嵌合ポケット１１２が備えられている。嵌合ポケット１１２は長手方向に複数個が形成されている。本実施形態では５つの嵌合ポケット１１２が形成されている。
各嵌合ポケット１１２は、前記厚肉部１１１の内側段部１１１ａ、即ち開放端１１０ｃとは反対側の段部１１１ａに向けて、内向きに開口する受口１１２ａが設けられている。
嵌合ポケット１１２の内底部１１２ｂは開放端１１０ｃに対して略平行となるように形成されている。
嵌合ポケット１１２の内側部１１２ｃは前記受口１１２ａからキノコ状に少し膨出した形状に形成されている。
一方、図３、図４に示すように、両側にそれぞれ対向して備えられる嵌合ポケット１１２、１１２は、その受口１１２ａから内底部１１２ｂにいくにつれて、相互にその間隙を狭めるように、内向きに傾いた状態に構成されている。
前記厚肉部１１１に備えられる複数の嵌合ポケット１１２のうち、末端にある嵌合ポケット１１２（図１に示す５つの嵌合ポケット１１２のうち一番左にあるもの）は、他の嵌合ポケット１１２の向きに対して、大きく傾いた状態に形成している。このように末端の嵌合ポケット１１２の向きを他の嵌合ポケット１１２の向きとは異ならしめることで、後述するグリップ本体２０に被着されたグリップジャケット１０が、嵌合突起２１２、２１２、・・・と嵌合ポケット１１２、１１２、・・・との嵌合において、全体として簡単には離脱しないようにすることができる。
【００１６】
前記一対のジャケット側片部１１０の内面１１０ｂには、その中央部に長手方向に亘って浅く陥没した凹部１１３が構成されている。この凹部１１３は後述するグリップ本体２０の一対の本体側部２１０と軽く嵌り合い、グリップジャケット１０のズレ、剥がれ、皺の発生をなくするのに役立つ。
また一対のジャケット側片部１１０の外面１１０ａには、その中央部に長手方向に亘って浅く膨出した膨出部１１４が構成されている。この膨出部１１４は、グリップを把持した際、グリップが手の平にフィットしやすく（馴染みやすく）なるようにする役割を果たす。
【００１７】
前記ジャケット背部１２０は、グリップ本体２０の後述する本体背部２２０に被着される部分である。
ジャケット背部１２０の内面１２０ｂには、位置決め突起１２１を備えている。
位置決め突起１２１は、１乃至複数個を、内面１２０ｂの中央部に長手方向に所定の間隔をもって形成することができる。本実施形態では３個設けている。
位置決め突起１２１は、後述するグリップ本体２０の本体背部２２０の嵌合穴２２１と嵌合して、グリップジャケット１０とグリップ本体２０との両者の正確な位置決めを行うと共に、両者の位置ズレを防止する役割を果たす。
ジャケット背部１２０の外面１２０ａには、その先端部に滑り止め部１２２を盛り上げた状態に設けている。この滑り止め部１２２は、グリップを握った手が前方に滑り抜けるのを防止する役割を果たす。
【００１８】
グリップジャケット１０は、図５に示すような状態に手で容易に展開することができる。しかし通常の状態では、ジャケット背部１２０を連続部とした断面Ｕ字状の形状となっている。
【００１９】
前記グリップ本体２０は、前記柄本体２のうち、グリップジャケット１０が被着される領域を言う。該グリップ本体２０は、柄本体２の一部として長手方向の一定領域に構成される。本実施形態では、柄本体２の前部と、後端部を除く領域がグリップ本体２０となっている。柄本体２の前部には鋸刃３が取り付けられる。
鋸刃３は、鎌、鉈、包丁、ナイフ等の他の刃物と置き換えることができる。本発明において刃物とは、鋸刃３を含む概念である。前記柄本体２の後端部はグリップジャケット１０の被着領域から外れるので、厳密にはグリップ本体２０ではないと言える。
グリップ本体２０の材質は、ステンレススチールとする。しかし他の鉄鋼材料、金属材料、硬質のプラスチック材料を用いることができる。
【００２０】
グリップ本体２０は、一対の本体側部２１０と本体背部２２０とを備える。そして本体背部２２０を介して一対の本体側部２１０、２１０が連続してなる横断面Ｕ字状の一体物として構成されている。勿論、前記Ｕ字状は、図６〜図１０のように、本体背部２２０を上位に配置した状態では、逆Ｕ字状となる。
グリップ本体２０をその一部に備える前記柄本体２にも、前記一対の本体側部２１０に対応する一対の側部２ａ、２ａと、前記本体背部２２０に対応する背部２ｂが備えられている。そして背部２ｂを介して一対の側部２ａ、２ａが連続する横断面Ｕ字状の一体物として構成されている。その柄本体２の横断面もＵ字状を呈している。
【００２１】
前記グリップ本体２０の本体背部２２０は、その背幅が前記柄本体２の背部２ｂの背幅と同じである。そしてグリップ本体２０の本体背部２２０は柄本体２の背部２ｂと同じ背幅のままで、且つ直線状に連続した状態に構成されている。
一方、グリップ本体２０の一対の本体側部２１０、２１０は、柄本体２よりも側方に膨出した状態に構成されている。即ち、グリップ本体２０の一対の本体側部２１０、２１０と柄本体２の一対の側部２ａ、２ａとは、相互に連続した壁部として構成されるが、グリップ本体２０の本体側部２１０は、その傾斜段部２１０ａを介して、柄本体２よりも側方に膨出した状態に構成されている。
グリップ本体２０の前記側方に膨出した各本体側部２１０、２１０に対しては、前記一対のグリップジャケット側片部１１０の内面１１０ｂの各凹部１１３、１１３が対応して凹凸に組み合わされ、軽く嵌り合うことになる。これによりグリップジャケット１０の一対のジャケット側片部１１０が、グリップ本体２０の本体側部２１０とピッタリ被着され、接着剤を用いなくとも、ズレや剥がれの発生をなくすことができる。
【００２２】
前記グリップ本体２０の一対の本体側部２１０、２１０の間は、折畳刃収納溝２１１として構成されている。
グリップ本体２０の一対の本体側部２１０、２１０の各開放端には、それぞれ嵌合突起２１２が備えられている。
嵌合突起２１２は、上記グリップジャケット１０の嵌合ポケット１１２に嵌合させるためのもので、グリップ本体２０の本体側部２１０、２１０の長手方向に複数個（本実施形態では５つ）が形成されている。
嵌合突起２１２は、実際には、本体側部２１０の開放端を適当な間隔で蟻溝状に切り取り、これによって残った部分が嵌合突起２１２になるように形成している。
各嵌合突起２１２は、上記嵌合ポケット１１２に対応した形状としている。即ち、基部２１２ａが嵌合ポケット１１２の受口１１２ａに対応し、その先端部２１２ｂが嵌合ポケット１１２の内底部１１２ｂに対応して平坦な形状とされ、外側部２１２ｃが嵌合ポケット１１２の内側部１１２ｃに対応して前記基端部２１２ａからキノコ上に少し膨出した形状に形成されている。
各嵌合突起２１２をそれぞれ対応する嵌合ポケット１１２へ侵入させると、嵌合ポケット１１２が弾性変形をしながら、嵌合突起２１２の侵入を受け入れる。嵌合突起２１２の全体が嵌合ポケット１１２に入った状態では、抜け止め状態となり、簡単には抜けなくなる。
【００２３】
前記各嵌合突起２１２は、それが嵌合する嵌合ポケット１１２と同形状とすることができる。勿論、同形状の他、類似形状、相似形状とすることも可能である。
前記各嵌合突起２１２のうち、末端にある嵌合突起２１２は、上記嵌合ポケット１１２の場合と同様に、他の嵌合突起２１２の向きに対して、傾いた状態に形成している。このように末端の嵌合突起２１２の向きを、他の嵌合突起２１２に対して、より傾いた状態にすることで、一旦被着されたグリップジャケット１０が、嵌合突起２１２、２１２、・・・と嵌合ポケット１１２、１１２、・・・との嵌合において、全体としてより離脱し難くなる。勿論、離脱できないわけではない。
【００２４】
前記折畳刃収納溝２１１の両側にそれぞれ対向して備えられる嵌合突起２１２、２１２は、その基部２１２ａから先端部２１２ｂにいくにつれて、相互にその間隙を狭めるように、内向きに傾いて構成されている。このように傾けられて構成された嵌合突起２１２が同様に傾けられて構成された上記嵌合ポケット１１２と嵌合されることで、グリップジャケットの抜け止め効果が一層向上する。よって他の抜け止め構成とも相俟って、本発明では、接着剤等を使用しなくても、グリップジャケット１０のグリップ本体２０への被着を確固たるものとすることができる。
前記両側に対向する嵌合突起２１２、２１２の先端部２１２ｂ間の間隙は、前記柄本体２の一対の本体側部２ａ、２ａ間の間隙と同程度としている。
そして前記嵌合突起２１２にグリップジャケット１０の嵌合ポケット１１２が嵌合された状態においては、被着されたグリップジャケット１０の一対のジャケット側片部１１０、１１０の開放端１１０ｃ、１１０ｃ間の間隙が、前記折畳刃収納溝２１１の溝口として、折畳刃収納口２１１ａとなる。
前記折畳刃収納口２１１ａの間隙は前記柄本体２の一対の本体側部２ａ、２ａ間の間隙よりも更に狭くなるように構成する（図１４参照）ことで、折畳刃を折畳刃収納溝２１１に収納する際のガイドとして供すると共に、折畳刃収納溝２１１に折り畳んで収納された状態の鋸刃３が容易に折畳刃収納溝２１１から脱出してしまうことのないようにしている。
前記折畳刃収納口２１１ａの間隙は、前記嵌合突起２１２、２１２間の間隙と、嵌合突起２１２、２１２の表面に被着されるグリップジャケット１０部分の肉厚とを、折畳刃の厚みに応じて、予め適切な寸法とすることで、良好な間隙状態とすることができる。
【００２５】
前記グリップ本体２０の本体背部２２０には、嵌合穴２２１が備えられている。
この嵌合穴２２１は、グリップジャケット１０のジャケット背部１２０に備えられた位置決め突起１２１に対応して、１乃至複数個を設けることができる。嵌合穴２２１の穴形状は、十分に正確な位置決めを達成するためには、前記位置決め突起１２１が丁度嵌合する形状が好ましい。しかし相互の嵌め込みの容易性を考慮して多少の余裕があってもよい。
グリップジャケット１０の位置決め突起１２１がグリップ本体２０の嵌合穴２２１に侵入されて、嵌合状態となることで、両者相互の位置決めとズレ防止がなされる。
【００２６】
なお、グリップ本体２０の一対の本体側部２１０の下半部に多少の弾力性を持たせるために、割り溝２１３を設けることができる。
またグリップ本体２０側の重量を軽減するために、抜き穴２１４を設けることができる。
前記柄本体２の前部には、本実施形態では、鋸刃３等の刃を回動自在に枢支するための枢支部２ｃの他、刃を使用可能状態に保持するのに必要な手段が施されることになる。
【００２７】
図１１〜図１５に本発明の実施形態に係る刃物用グリップ１を示す。この刃物用グリップ１は、柄本体２のグリップ本体２０にグリップジャケット１０を被着することで完成する。
グリップジャケット１０の被着は、先ずグリップジャケット１０のジャケット背部１２０をグリップ本体２０の本体背部２２０にあてがうと共に、ジャケット背部１２０の各位置決め突起１２１を本体背部２２０の対応する各嵌合穴２２１に侵入させて嵌合した状態とする。次に、グリップジャケット１０の一方のジャケット側片部１１０を引っ張りながら、その各嵌合ポケット１１２をグリップ本体２０の一方の本体側部２１０の対応する各嵌合突起２１２に嵌合させる。同様に、他方のジャケット側片部１１０の各嵌合ポケット１１２を他方の本体側部２１０の各嵌合突起２１２に嵌合させる。これによってグリップジャケット１０のグリップ本体２０への被着が完了し、刃物用グリップ１が完成する。
刃物用グリップ１には、鋸刃３がその柄本体２の枢支部２ｃに、ピン２ｄ等により回動自在に取り付けられ、また鋸刃３を所定の使用位置にロックするためのロック手段２ｅが取り付けられる。
勿論、鋸刃３の代わりに他の刃物を取り付けることも可能である。本発明の刃物用グリップ１は鋸刃３以外の刃物もその対象としている。
【００２８】
図１４、図１５を参照して、前記鋸刃３を折り畳んで収容する折畳刃収納溝２１１の折畳刃収納口２１１ａは、グリップジャケット１０をグリップ本体２０の本体側部２１０の下端開放端付近の内面だけに、一定の短幅で被覆することにより構成している。これによって、折畳刃収納口２１１ａが折畳刃収納溝２１１の溝幅よりも狭く、更に柄本体２の一対の本体側部２ａ、２ａ間の幅よりも狭くなるように構成している。
グリップジャケット１０による被着を利用して、折畳刃収納口２１１ａの幅を柄本体２の一対の本体側部２ａ、２ａよりも更に狭くした一定の幅とすることで、折畳刃収容溝２１１に収容された折畳刃が折畳刃収納溝２１１から簡単に抜け出てしまうのを防止しつつ、且つ取り出しも容易であるようにしているのである。
一方、折畳刃収納口２１１ａの奥にある折畳刃収納溝２１１は、グリップジャケット１０が被着されないだけではなく、更に前記柄本体２の一対の本体側部２ａ、２ａ間の幅よりも広くなるように構成している。
折畳刃収納溝２１１の溝幅を柄本体２の一対の本体側部２ａ、２ａ間の溝幅よりも広くすることで、グリップ本体２０の本体側部２１０を柄本体２よりも側方に膨出した状態に容易にすることができる。これによって膨出したグリップ本体２０の本体側部２１０に対してグリップジャケット１０のジャケット側片部１１０内面の凹部１１３が対応し、グリップジャケット１０をよりピッタリとズレなく確実に被着することができる。
加えて、折畳刃収納溝２１１の溝幅を柄本体２の一対の本体側部２ａ、２ａ間の溝幅よりも広くすることで、広くした溝幅内に、必要に応じて他の機構を配備することができる。
ところで、刃物グリップをグリップ本体に樹脂やゴムを被覆させる方法としてインサート成形を用いる場合には、成形時に溶けたゴムや樹脂がグリップ本体の溝など、外部との連通空間のあらゆる部分に侵入して、該空間を充填してしまう。このため前記グリップ本体に形成された外部との連通空間等には機械的な機構を配備することが実質的にできなかった。即ち、例え機械的機構を配置しても、その後のインサート成形時に溶融ゴムや溶融樹脂が機械的機構に侵入し或いは外部との連通を閉塞させるため、機械的機構による作用効果を外部に及ぼすことができなくなり、使用不能となる。
本発明のおける刃物グリップ１では、インサート成形法を用いることなく、予め形成したグリップジャケット１０をジャケット本体２０に被着するだけである。従って予め折畳刃収納溝２１１の奥に機械的機構を設備しても、その後の工程において溶融ゴムや溶融樹脂が前記機械的機構に侵入したり、外部との連通を遮断したりすることはない。よって機械的機構の使用が不能となることなく使用することができる。
【産業上の利用可能性】
【００２９】
本発明の刃物用グリップは、鋸やその他の刃物を製造する上で産業上の利用可能性がある。またグリップジャケットは刃物用グリップを製作する上で産業上の利用可能性がある。
【符号の説明】
【００３０】
１        刃物用グリップ
２        柄本体
２ａ      本体側部
２ｂ      本体背部
２ｃ      枢支部
２ｄ      ピン
２ｅ      ロック手段
１０      グリップジャケット
２０      グリップ本体
１１０    ジャケット側片部
１１０ａ  外面
１１０ｂ  内面
１１０ｃ  開放端
１１１    厚肉部
１１１ａ  内側段部
１１２    嵌合ポケット
１１２ａ  受口
１１２ｂ  内底部
１１２ｃ  内側部
１１３    凹部
１１４    膨出部
１２０    ジャケット背部
１２０ａ  外面
１２０ｂ  内面
１２１    位置決め突起
１２２    滑り止め部
２１０    本体側部
２１０ａ  傾斜段部
２１１    折畳刃収納溝
２１１ａ  折畳刃収納口
２１２    嵌合突起
２１２ａ  基部
２１２ｂ  先端部
２１２ｃ  外側部
２１３    割り溝
２１４    抜き穴
２２０    本体背部
２２１    嵌合穴
【図１】
2012098672.tif 000003
【図２】
2012098672.tif 000004
【図３】
2012098672.tif 000005
【図４】
2012098672.tif 000006
【図５】
2012098672.tif 000007
【図６】
2012098672.tif 000008
【図７】
2012098672.tif 000009
【図８】
2012098672.tif 000010
【図９】
2012098672.tif 000011
【図１０】
2012098672.tif 000012
【図１１】
2012098672.tif 000013
【図１２】
2012098672.tif 000014
【図１３】
2012098672.tif 000015
【図１４】
2012098672.tif 000016
【図１５】
2012098672.tif 000017
【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
鋸等の刃物のグリップ本体に対して着脱可能に被着させることで刃物用グリップを構成するグリップジャケットであって、
弾性体からなり、
前記グリップ本体の両側部の外面に対して被着させるための一対のジャケット側片部と、前記グリップ本体の背部の外面に対して被着させるためのジャケット背部とを有し、
且つ前記一対のジャケット側片部と前記ジャケット背部とが、両ジャケット側片部の一端側でジャケット背部を介して連続すると共に他端側を開放端とする一体物として構成されており、
前記一対のジャケット側片部は、それぞれその開放端の内側に沿って厚肉部を備えると共に、該厚肉部には、前記グリップ本体側の嵌合突起と嵌合させるための嵌合ポケットを備え、
前記ジャケット背部は、その内面に、前記グリップ本体の背部の嵌合穴に侵入して位置決めを行うための位置決め突起を備え、
前記嵌合ポケットは、その受口を前記厚肉部の内側段部に向けて内向きに開口させて設けてあることを特徴とするグリップジャケット。
【請求項２】
嵌合ポケットは、ジャケット側片部の長手方向に複数個形成すると共に、その複数個の嵌合ポケットのうちの末端にある嵌合ポケットの向きを他の嵌合ポケットの向きとは異ならせて形成していることを特徴とする請求項１に記載のグリップジャケット。
【請求項３】
請求項１又は２に記載のグリップジャケットを、鋸等の刃物のグリップ本体に被着してなる刃物用グリップであって、
グリップ本体は、その背部を構成する本体背部と側部を構成する一対の本体側部とを備えると共に、本体背部を介して前記一対の本体側部が連続してなる横断面Ｕ字状の一体物として構成されており、
前記一対の本体側部の間を折畳刃収納溝として構成すると共に、
前記一対の本体側部の各開放端に、グリップジャケットのジャケット側片部の厚肉部に備えられた嵌合ポケットに嵌合する嵌合突起を備え、
前記本体背部に、前記グリップジャケットのジャケット背部に備えられた位置決め突起を受け入れる嵌合穴を備え、
グリップジャケットをグリップ本体に被着した状態で、該グリップジャケットがグリップ本体の本体背部外面及び両本体側部外面を被覆する一方、グリップ本体の内面である前記折畳刃収納溝については、その溝口に構成される折畳刃収納口付近の内面のみを被覆する構成としていることを特徴とする刃物用グリップ。
【請求項４】
グリップ本体は、横断面Ｕ字状の金属製の刃物の柄本体の一部として長手方向の一定領域に構成されており、
グリップ本体の一対の本体側部は、その周囲の柄本体よりも側方に膨出した状態に構成され、且つ一対の本体側部の開放端に構成される嵌合突起は、相互に内向きに傾いて構成され、これにより折畳刃収納口が、その奥の折畳刃収納溝の幅よりも狭くなる構成としてあることを特徴とする請求項３に記載の刃物用グリップ。
【手続補正２】
【補正対象書類名】明細書
【補正対象項目名】０００６
【補正方法】変更
【補正の内容】
【０００６】
上記課題を達成するため本発明のグリップジャケットは、鋸等の刃物のグリップ本体に対して着脱可能に被着させることで刃物用グリップを構成するグリップジャケットであって、
弾性体からなり、
前記グリップ本体の両側部の外面に対して被着させるための一対のジャケット側片部と、前記グリップ本体の背部の外面に対して被着させるためのジャケット背部とを有し、
且つ前記一対のジャケット側片部と前記ジャケット背部とが、両ジャケット側片部の一端側でジャケット背部を介して連続すると共に他端側を開放端とする一体物として構成されており、
前記一対のジャケット側片部は、それぞれその開放端の内側に沿って厚肉部を備えると共に、該厚肉部には、前記グリップ本体側の嵌合突起と嵌合させるための嵌合ポケットを備え、
前記ジャケット背部は、その内面に、前記グリップ本体の背部の嵌合穴に侵入して位置決めを行うための位置決め突起を備え、
前記嵌合ポケットは、その受口を前記厚肉部の内側段部に向けて内向きに開口させて設けてあることを第１の特徴としている。
また本発明のグリップジャケットは、上記第１の特徴に加えて、嵌合ポケットは、ジャケット側片部の長手方向に複数個形成すると共に、その複数個の嵌合ポケットのうちの末端にある嵌合ポケットの向きを他の嵌合ポケットの向きとは異ならせて形成していることを第２の特徴としている。
また本発明の刃物用グリップは、上記第１又は第２の特徴のグリップジャケットを、鋸等の刃物のグリップ本体に被着してなる刃物用グリップであって、
グリップ本体は、その背部を構成する本体背部と側部を構成する一対の本体側部とを備えると共に、本体背部を介して前記一対の本体側部が連続してなる横断面Ｕ字状の一体物として構成されており、
前記一対の本体側部の間を折畳刃収納溝として構成すると共に、
前記一対の本体側部の各開放端に、グリップジャケットのジャケット側片部の厚肉部に備えられた嵌合ポケットに嵌合する嵌合突起を備え、
前記本体背部に、前記グリップジャケットのジャケット背部に備えられた位置決め突起を受け入れる嵌合穴を備え、
グリップジャケットをグリップ本体に被着した状態で、該グリップジャケットがグリップ本体の本体背部外面及び両本体側部外面を被覆する一方、グリップ本体の内面である前記折畳刃収納溝については、その溝口に構成される折畳刃収納口付近の内面のみを被覆する構成としていることを第３の特徴としている。
また本発明の刃物用グリップは、上記第３の特徴に加えて、グリップ本体は、横断面Ｕ字状の金属製の刃物の柄本体の一部として長手方向の一定領域に構成されており、
グリップ本体の一対の本体側部は、その周囲の柄本体よりも側方に膨出した状態に構成され、且つ一対の本体側部の開放端に構成される嵌合突起は、相互に内向きに傾いて構成され、これにより折畳刃収納口が、その奥の折畳刃収納溝の幅よりも狭くなる構成としてあることを第４の特徴としている。
【手続補正３】
【補正対象書類名】明細書
【補正対象項目名】０００７
【補正方法】変更
【補正の内容】
【０００７】
請求項１に記載のグリップジャケットによれば、ジャケット背部と一対のジャケット側片部とからなる一体物としてのグリップジャケットを用い、このグリップジャケットのジャケット背部でグリップ本体の背部にあてがうと共に、ジャケット背部の内面の位置決め突起をグリップ本体の背部の嵌合穴に侵入させ、またグリップジャケットの一対のジャケット側片部をグリップ本体の両側部外面にあてがうと共に、ジャケット側片部を引っ張りながら、ジャケット側片部の解放端内側に沿う厚肉部の嵌合ポケットをグリップ本体側の嵌合突起に嵌合させることで、鋸等の刃物のグリップ本体に対して着脱自在にグリップジャケットを被着させた刃物用グリップを得ることができる。
よって一物品からなるグリップジャケットを用いて簡単、確実に刃物用グリップを完成させることができる。
そして、グリップジャケットによりグリップ本体の背部、両側部、腹部の全外面を確実に被覆することができるので、手触りが均一で、握り易く、滑り防止効果が大きい刃物用グリップを得ることが可能となる。
またグリップジャケットのグリップ本体への被着は、一対のジャケット側片部の開放端内側に沿う厚肉部の嵌合ポケットとジャケット背部の位置決め突起とにより、ネジや接着剤等を用いなくとも容易に外れることがなく、確実に且つ位置ズレすることなく被着することができる。
またグリップジャケットはグリップ本体から取り外すことも可能であり、よってグリップジャケットを取り替えることができる。
特に請求項１のグリップジャケットによれば、嵌合ポケットは、その受口を前記厚肉部の内側段部に向けて内向きに開口させて設けてあるので、被着完了後にはグリップジャケットがグリップ本体から容易に外れてしまうことがない。またグリップ本体への被着がなされたグリップジャケットの被着状態が良好となり、弛んだりすることがない。
またグリップジャケットの厚肉部の一部がグリップ本体の内面側にまわり込んだ状態となるので、グリップジャケットがグリップ本体の両側部の外面を確実に被うと共に、一部がグリップ本体の内面側にまで及んで確実な被着ができる。
勿論、請求項１のグリップジャケットによれば、インサート成形に必要な金型や複雑な作業工程を必要とすることなく刃物用のグリップを完成させることができる。
またグリップジャケットは一体物として、容易に薄くて強度のある成形品に形成することができるので、インサート成形する場合に比べても、十分に省原料で、軽量、高強度のグリップを得ることができる。
【手続補正４】
【補正対象書類名】明細書
【補正対象項目名】０００８
【補正方法】変更
【補正の内容】
【０００８】
また請求項２に記載のグリップジャケットによれば、上記請求項１に記載の構成による効果に加えて、嵌合ポケットは、ジャケット側片部の長手方向に複数個形成すると共に、その複数個の嵌合ポケットのうちの末端にある嵌合ポケットの向きを他の嵌合ポケットの向きとは異ならせて形成しているので、嵌合の向きが一部異なることで、グリップジャケットの複数の嵌合ポケットによる嵌合が全体として外れ難くなる。
【手続補正５】
【補正対象書類名】明細書
【補正対象項目名】０００９
【補正方法】変更
【補正の内容】
【０００９】
また請求項３に記載の刃物用グリップによれば、請求項１又は２に記載のグリップジャケットを、鋸等の刃物のグリップ本体に被着してなる刃物用グリップであるので、別部品として用意されたグリップジャケットを被着するだけで、刃物用グリップを完成させることができる。よってインサート成形手段を用いる場合と比べても、刃物用グリップの最終的なアセンブリを非常に簡単に行うことができる。勿論、注文があった時点で、注文に応じた色やデザインのジャケットを被着して出荷することもできる。
また請求項３の刃物用グリップによれば、グリップジャケットでグリップ本体の外面の全面が被覆されるので、手触り、握り易さ、滑り止めに優れたものとなる。
また請求項３の刃物用グリップによれば、グリップジャケットを分割体ではなく一体物とし、且つその一対のジャケット側片部の開放端内側の嵌合ポケットとジャケット背部の位置決め突起とによってグリップの骨格であるグリップ本体の外面に巻き付つくように被着されているので、ネジや接着剤を用いなくても、グリップジャケットが容易に外れず、位置ズレしない刃物用グリップを提供することができる。
また請求項３の刃物用グリップによれば、グリップジャケットを取り外すことも可能であるので、必要に応じてグリップジャケットを取り替えたりすることができる。
また請求項３に記載の刃物用グリップによれば、グリップジャケットが被着されるグリップ本体は、一対の本体側部が本体背部を介して連続する横断面Ｕ字状の一体物とされ、その一対の本体側部の間が折畳刃収納溝とされる。またグリップ本体の一対の本体側部の開放端側に備えられた嵌合突起がグリップジャケットの一対のジャケット側片部の開放端内側の嵌合ポケットと嵌合され、またグリップ本体の本体背部の嵌合穴がグリップジャケットのジャケット背部の位置決め突起と嵌合される。
そしてグリップジャケットがグリップ本体に被着された状態では、グリップジャケットがグリップ本体の外面を被覆する一方、グリップ本体の内面については、折畳刃収納口付近の内面のみがグリップジャケットで被覆される。よってグリップ本体の内面の大部分はグリップジャケットで被覆されることがなく、その分だけ全体を軽量にすることができる。また原料使用量を減らすことができる。
勿論、折畳刃収納口付近はグリップジャケットで被覆されているので、折畳刃の挿入の際の当たりを柔らかくすることができる。
【国際調査報告】
2012098672.tif 000018
2012098672.tif 000019
2012098672.tif 000020
2012098672.tif 000021